Podtech/llm-jp-corpus-v4-ja_patent huggingface dataset:
(57)【要約】【課題】これまで書家等の特定の職業従事者にしか触れる機会がなかった手漉き和紙に線画を定着し塗り絵とすることで、一般消費者が気軽に手に取れる製品を実現し、手漉き和紙の魅力を向上する。【解決手段】浮世絵や錦絵等の日本画から、塗り絵のガイドとなる線画を起こし、適切な印刷機等で手漉き和紙に定着させる。【特許請求の範囲】
【請求項１】
線画を印刷等の方法で表面に定着させた手漉き和紙。
【請求項２】
江戸文化を象徴する浮世絵や錦絵等の日本画を題材とした、
請求項１に記載の手漉き和紙。
【請求項３】
地域の絵柄を地域の手漉き和紙で塗り絵化することを特徴とする、
請求項１又は２に記載の手漉き和紙。
【請求項４】
単色のみが使用できる定着環境において、線の太さで遠近感や印象の強弱を表現し、
塗り絵に適するように適宜デフォルメや部分的な創作を行う、
請求項１から３に記載の手漉き和紙を実現する線画の作成方法。
【発明の詳細な説明】
【技術分野】
【０００１】本発明は、手漉き和紙を使用した塗り絵及び手漉き和紙へ線画を定着させる際の線画原稿の作成方法に関する。
【背景技術】
【０００２】手漉き和紙はユネスコ無形遺産に登録されるなど、日本を代表する伝統工芸品であるが、一般的な消費者が手にする機会は少ないのが現状である。【０００３】また「平成２７年度製造基盤技術実態等調査  我が国における和紙産業のブランド力強化に関する調査報告書平成２８年３月三菱ＵＦＪリサーチ＆コンサルティング株式会社」（ｈｔｔｐ：／／ｗｗｗ．ｍｅｔｉ．ｇｏ．ｊｐ／ｍｅｔｉ＿ｌｉｂ／ｒｅｐｏｒｔ／２０１６ｆｙ／０００１６５．ｐｄｆ）によれば、和紙の出荷額、事業者数職人ともに１５年にわたって減少が続いており、後継者の育成及び新市場の開拓が必要とされている。【０００４】一方「２０１２年度笹川記念保健協力財団研究報告書  『能動アート』によるホスピス緩和ケアプログラムの開発と評価」（ｈｔｔｐ：／／ａｒｃｈｉｖｅ．ｓｍｈｆ．ｏｒ．ｊｐ／ａｒｃｈｉｖｅ＿ｒ／ｄａｔａ／２０１２＿ＱＯＬ＿Ｙｏｓｈｉｏｋａ．ｐｄｆ）によれば、手漉き和紙には触れたものに対する一定の心的効果が見られる。
【発明の概要】
【発明が解決しようとする課題】
【０００５】本発明は、これまで書家等の特定の職業従事者にしか触れる機会がなかった手漉き和紙に線画を定着し塗り絵とすることで、一般消費者が気軽に手に取れる製品を実現し、手漉き和紙の新市場を獲得、安定した手漉き和紙需要の拡大、海外等へ発信可能な優良コンテンツとしての手漉き和紙の魅力向上を目的とする。
【発明を解決するための手段】
【０００６】浮世絵や錦絵等の日本画から、塗り絵のガイドとなる線画を起こし、適切な印刷機等で手漉き和紙に定着させる。
【０００７】本発明では海外等への発信を意識し、日本の伝統工芸品である手漉き和紙に対して、日本の伝統文化である江戸文化に属する浮世絵や錦絵等の日本画を線画化することを選択したが、元となる絵柄については必ずしもこれらに限る必要はない。
【０００８】また、本発明では塗り絵の線画を描き起こすために、原画をパーソナルコンピューター上でトレースし、塗り絵に適するように適宜デフォルメ等を行なったが、他の適切な方法で定着可能な原稿を作成しても構わない。
【０００９】さらに本発明の実現の過程において、手漉き和紙が工業製品ではないことから、印刷業者への印刷依頼が難しく、また通常のインクジェットプリンターやレーザープリンターでは良好な印刷結果が得られなかったことから、最終的に単色のみ出力可能な孔版印刷機を選択した経緯がある。
【００１０】単色のみが使用できる環境下では、線画にグレースケール等の表現手法を使用することができず、線の太さのみで遠近感や印象の強弱を表現する必要がある。
【００１１】一例を挙げると、遠景を太さ０．１、中景を太さ０．５、近景を太さ１で描くことにより遠近感を表現でき、主題となる部分の線を太くすることにより主題の印象を際立たせることができる。
【００１２】また、原画から単純に線を拾うと、塗り手が戸惑う箇所が出るため、塗り絵に適するように適宜デフォルメや部分的な創作を行う。
【００１３】例えば歌川広重の富嶽三十六景「日本橋」の右下には犬が描かれているが、単純に線を拾うと犬と判らない線画となるため、塗り手が犬と認識できるように最小限の創作を行う。
【００１４】なお、手漉き和紙によっては通常のプリンターで十分印刷可能なものもあり、必ずしも上記の線画作成方法を用いる必要はない。
【発明の効果】
【００１５】この発明により、一般消費者が気軽に手に取れる手漉き和紙製品が実現し、手漉き和紙の新市場が生まれ、安定した手漉き和紙需要が拡大し、海外等へ発信可能な優良コンテンツとしての手漉き和紙の魅力が向上する。
【００１６】また、本発明の使用時、手漉き和紙と塗り絵の題材を注意深く選択することにより、地域文化の地域内外への発信、日本文化の海外への発信が容易となり、地域及び日本の魅力が向上し、一定のインテリジェンスを備えたインバウンド観光客が増加する。
【００１７】さらに、本発明で手漉き和紙に興味を持った消費者等の中から、手漉き和紙職人の後継者が現れることが期待される。
【００１８】本発明の利用者に関しては、手漉き和紙の心的効果に加えて、一般に塗り絵自体にも癒しやリラックス効果があるとされており、手漉き和紙の手触りを楽しみながら塗り絵を行うことにより、リラックス等のプラスの心的効果を得ることが期待される。
【発明を実施するための形態】
【００１９】葛飾北斎、歌川広重、歌川国芳、伊藤若冲等の江戸文化に属する浮世絵や錦絵等の日本画をパーソナルコンピューター上でトレースし、遠近感や印象の強弱を意識、必要なデフォルメや必要な創作を行いながら線画を作成、日本各地の手漉き和紙に印刷したものを、手漉き和紙塗り絵として販売する。
【００２０】その際、葛飾北斎の富嶽三十六景「甲州石班沢」であれば山梨の西嶋和紙、同じく「常州牛掘」であれば茨城の西ノ内和紙、歌川広重の東海道五十三次「荒井」であれば静岡の駿河柚野紙それぞれの専用品として製品化する。
【００２１】秋田の出羽和紙については、専用品に適する浮世絵等が存在しないため、地域の伝統文化で同じく江戸時代の作である「秋田蘭画」をトレースして製品化する。
【００２２】江戸文化の中心である日本橋周辺の浮世絵や、特に地域を意識させない絵柄については、国指定重要無形文化財九代目岩野市兵衛の越前生漉奉書を含む、１３の地域（出願時点）から消費者が好きな手漉き和紙を選んで購入することができ、手漉き和紙ごとの塗り心地の違いを楽しむことができる。
【００２３】なお標章「手漉き和紙塗り絵」は本発明の出願時点で商標出願中である。
【産業上の利用可能性】
【００２４】本発明は塗り絵としての販売以外にも、身着色の状態のまま、インテリアの一部として利用可能である。
(57)【要約】      （修正有）【課題】マスク着用の紐掛けを身体の耳以外に取り付けることで、マスク装着において耳が痛くならないようにする。【解決手段】衣類４にマスク装着用ホルダーとして、ボタン６またはフック付パッド９、９Ｂを取りつける。【選択図】図２
2018109251.tif 000002
【特許請求の範囲】
【請求項１】
マスク装着用ホルダーを取りつけたまたは取りつけができる衣類。
【請求項２】
前記装着用ホルダーはボタン、フック付パッド、ワイヤーが含まれ衣服に取付けができる構造のもの。
【請求項３】
前記装着用ホルダーは体に装着して取付けができる構造のもの。
【発明の詳細な説明】
【技術分野】風邪や花粉予防などの一般生活から工事現場での防塵保護に使われるマスクの装着が必要とされる用途
【背景技術】図１に示すマスクにある紐を体（耳）に装着して使用している。
【発明が解決しようとする課題】
耳に紐が常に掛かっているので痛くなり長時間装着することが出来なる欠点を有している。
【課題を解決するための手段】
マスクの紐を体に装着することなく衣類などに取りつけた装着具に掛けて行う。（図２、図３、図４参照）
【発明の効果】
体への負担がなくなり長時間に亘り装着することが可能となる。
【図面の簡単な説明】
【図１】従来方法
【図２】装着具例＿ボタン
【図３】装着具例＿フック
【図４】装着具例＿首掛け
【発明を実施するための形態】
衣類に付けた装着具にマスクの紐を掛けて固定する。
装着具はボタンやフック付パッド、ワイヤー、首掛けなどである。
【実施例１】図２にはボタンを衣類４の裏側５の６の位置に取り付けた実施例を示す。
６の位置はマスクの紐を取りつけた際にフィットするように調整されている。
よって７に示すように紐をボタンに掛けることでマスクの保持が可能となる。
ボタンは衣類に直接取付ける例とは別に同図９に示すパッドにボタンを装着しパッドを衣類に取付けるようにしたものでも良い。
８にはボタンの位置をマスクが保持できる別なところに装着できる例を示した。
９Ｂは衣服に取付け可能なパッドにボタンを設けた別例を示した。
【実施例２】別な実施例を図３に示す。１１のフックはフック付パッド１０に設けられこれを衣類に取り付け、マスクの紐をフックに固定して目的を達成することができる。
１２にはフックをワイヤーで実現した例を示しこれを衣服に取りつけても同様に目的を果たすことが可能となる。
【実施例３】別な実施例を図４に示す。１３は首掛けにボタンを取付けた例を又、１４は延長バンドでマスク紐を長くして首に掛けられるようにしたものである。
衣服を身に着けない場合でもこれを使用することでマスクを着用することが出来る。
【産業上の利用可能性】一般生活でのマスク着用、作業などでの防塵用マスク着用でも体に負担を掛けないので長時間に亘り装着が可能となる。
【符号の説明】  １    マスク                      ９、９Ｂ  パッド
２    マスク紐                      ＃      フック付パッド
３    耳                            ＃      フック
４    衣類                          ＃      ワイヤー
５    衣類の裏側                    ＃      首掛け
６    ボタン取付け位置とボタン      ＃      延長バンド
７    ボタンに掛けるマスク紐
８    ボタン取付け位置の別な例
【図１】
2018109251.tif 000003
【図２】
2018109251.tif 000004
【図３】
2018109251.tif 000005
【図４】
2018109251.tif 000006
(57)【要約】【課題】一般的に破袋機は、回転するか、直線移動させた刃（金属の突起物）で、廃棄物の詰まった袋を破り、廃棄物を取出すものであるが、破れた袋が刃に絡まり破袋機能に支障を来したり、廃棄物に破れた袋が混入したりする問題がある。これを解決する破袋機は一部実用化されているが、機構が複雑になり、装置が大形化したり、コストが上昇したりする。簡単な機構で、破れた袋が刃に絡まらず、取出した中身（廃棄物）に破れた袋が混入しない破袋機を提供する。【解決手段】回転ドラム２の円周面上に、先の尖った丸棒状の刃３を配列し、破袋するときと、及び破れた袋を運ぶときには、刃３は回転ドラム２の円周面より突出しているが、破れた袋を排出するときは、回転ドラム２の円周面より刃３は凹む機能を装備した破袋機とする。固定軸８に取付けた偏芯カム６により、刃３の突出と凹みの動きを実現する。【選択図】図２
2018038996.tif 000002
【特許請求の範囲】
【請求項１】
廃棄物を収納した袋を、回転ドラムの円周面から突出した刃が破り、回転方向に引込んで、廃棄物から袋を分離した後、刃が回転ドラムの円周面より凹み、突起がなくなることで、刃から袋が分離する構造を特徴とする破袋機。
【請求項２】
前記の刃は、偏芯カムにより、袋を破砕分離時に軸円周面より突出し、袋排出時に軸円周面に後退する構造を特徴とする破袋機。
【請求項３】
刃は丸棒状で、先端を尖らせたものであることを特徴とする破袋機。
【発明の詳細な説明】
【技術分野】
【０００１】    本発明は、袋に詰められた空き缶やペットボトル、空き瓶などの廃棄物を、再生処理する前工程として、袋を分離除去する破袋機に関する。
【背景技術】
【０００２】  従来の破袋機は、袋に詰められた廃棄物を投入する容器内に、複数の回転刃（突起物）又は移動刃を設け、回転（移動）する刃で袋を破り、廃棄物と袋を分離する。破れた袋は刃の回転（移動）方向に引っ張られる構造で構成されている。破れた袋が、刃に絡み付き難いように工夫されたものがある（例えば特許物件１参照）。また、破れた袋が廃棄物に混じり難いように工夫されたものもある（例えば特許物件２  参照）
【先行技術文献】
【特許文献】
【０００３】
【特許文献１】特開２００９−１１９４６４号  公報
【特許文献２】特開２０１５−０１６４４９号  公報
【発明の概要】
【発明が解決しようとする課題】
【０００４】  袋が刃に絡まり、破袋、分離の機能が低下する。袋が廃棄物側に混入し、後工程で分別作業を必要する。これらの欠点を改善する破袋機が実用化されている。【０００５】  しかしながら、袋の絡まり防止、袋片の廃棄物への混入防止の機能は、構造が複雑になり、製造コストが増加したり、装置が大型になったりする欠点がある。【０００６】  本発明は、以上のような従来の欠点に鑑み、簡単な構造で、袋が回転刃に絡むことなく、袋と廃棄物を容易に分離することのできる破袋機を提供することを目的としている。
【課題を解決するための手段】
【０００７】    本発明は回転ドラム２に組み込まれた棒状の刃３が、袋を破るときと、破れた袋を移動させるときに、回転ドラム２の円周面より突出しており、破れた袋を排出するときは、円周面より凹む機構を有する。【０００８】    複数の先端が尖った棒状の刃３を、梁４に固定し一体となっている。梁４の両端には軸芯方向にレバー５が取付けてある。レバー端にはローラ６が取付けてある。ローラ６は、固定軸８に取り付けた偏芯カム７の外周にある溝に収まっており、回転ドラム２が回転すると、ローラ６は偏芯カム７の溝に沿って移動する。その結果、ローラ６に連結された刃３も偏芯カム７の溝に沿って動き、ガイド９の穴に沿って突出したり、凹んだりする。【０００９】    複数のガイド９は、ドラム円周面に等間隔で配列されている。ガイド９の刃が貫通する穴は、隣接するガイドの穴と千鳥に配置されている。【００１０】    容器１内の、回転ドラム２の刃３の突出側には、シュート１２、固定刃１３が固定されている。いずれも廃棄物の入った袋を回転ドラム２の接触させる機能の他に、固定刃１３は廃棄物を落下させ、袋の落下を阻止する。
【発明の効果】
【００１１】    先端の尖った刃３は確実に袋を破り、内容する廃棄物を落下させる。丸棒である刃３は、袋を細断することなく、ほぼ原形で廃棄物排出側の反対側に運ぶ。さらに袋は、刃が完全に回転ドラム２の円周面より凹むことで、全く絡み付くとなく落下する。内容物である廃棄物と袋は確実に分離される。
【図面の簡単な説明】
【００１２】
【図１】一般的な従来の破袋機の、動作を示す図
【図２】本発明の実施例を示す図
【図３】本発明の要求事項を示す断面図
【図４】本発明の要求事項を示す断面図
【図５】刃の配置例を示す図
【図６】刃の配置例を示す図
【発明を実施するための形態】
【００１３】    以下、本発明の形態を図に基づいて説明する。
【実施例１】
【００１４】  図２は、本発明の実施例の断面図であって、材料（袋に入った廃棄物）を投入し、破袋している状態を表している。投入された材料は、固定刃１３と回転ドラム２の間に落ち込むと、突出した刃３により袋が破られ、内容物（廃棄物）が重力で零れ落ちる。破れた袋は刃３に引っ掛けられ、回転ドラム２の回転方向に運ばれる。回転ドラム２の右側まで破れた袋が運ばれると、刃３は凹み、確実に破れた袋は刃３から離れ、右の排出口に落下する。
【産業上の利用可能性】
【００１６】    本考案は、空き缶、ペットボトル、空き瓶、家庭用ごみなどの廃棄物を処理する産業で利用される。廃棄物と袋との分別が容易になり、作業コストの削減、衛生面の改善がされた破袋機として利用できる。
【符号の説明】
【００１５】    １  容器
２  回転ドラム
３  刃
４  梁
５  レバー
６  ローラ
７  偏芯カム
８  固定軸
９  ガイド
１０  ベアリング
１１  スプロケット
【図１】
2018038996.tif 000003
【図２】
2018038996.tif 000004
【図３】
2018038996.tif 000005
【図４】
2018038996.tif 000006
【図５】
2018038996.tif 000007
【図６】
2018038996.tif 000008
(57)【要約】【課題】従来技術は、被含浸物へ水素分子を含浸させるための時間が長く、高濃度量の確保および幅広い温度領域での使用ができないという問題があった。【解決手段】水素分子を含浸する水素含浸製造装置であって、該水素含浸製造装置は密閉容器と孔質フィルターを備え、該密閉容器は、水素ガス供給バルブと水排出用バルブと、内部圧力を計測する圧力計と、水素入管口が構成され、該水排出用バルブの可変位置により、水素分子気体層領域と、水素分子が溶存する水素水液体層領域とを備えることで、含浸時間を短く、高濃度量の確保が出来、幅広い温度領域での使用を可能とした二種類の水素含浸手段を同時に提供することを特徴とする。【選択図】図１
2018038993.tif 000002
【特許請求の範囲】
【請求項１】
被含浸物９へ水素分子を含浸させるための水素含浸製造装置であって、高濃度のドライガス水素を圧力を掛けて被含浸物９へ接触させることにより、含浸時間短縮、高濃度量の確保および幅広い温度領域での使用を可能としたことを特徴とする水素含浸製造装置。
【請求項２】
高濃度の水素ガスの圧力は、常圧〜０．５Ｍｐａとし、被含浸物９へ接触する水素は、ドライガス又は水に溶存している水素分子であることを特徴とする請求項１の水素含浸製造装置。
【請求項３】
被含浸物９の温度は、水素分子が含浸している水１０の温度からの移行温度として−０．２℃〜８０℃であることを特徴とする請求項１の水素含浸製造装置。
【発明の詳細な説明】
【技術分野】
【０００１】  本発明は、水素の抗酸化力を利用する被含浸物の医療用物質、健康補助食品、生鮮食品への、水素含浸製造装置に関するものである。
【背景技術】
【０００２】  背景技術として、水素を医療用物質、健康補助食品、生鮮食品へ含浸させる方法として、電気分解法により生成された水素分子を水に溶存させた水素水からの含浸方法と、水素分子を含む水素化マグネシウム又は水素化カルシウムを含んだ水素発生剤（水素化化合物）を水分との化学反応により発生させた水素分子による含浸方法が知られている。
【先行技術文献】
【特許文献】
【０００３】
【特許文献１】  特開２０１６−１１２５６２
【発明の概要】
【発明が解決しようとする課題】
【０００４】  従来技術の水の電気分解で水素生成を行う場合、水素２分子と酸素１分子が同時に生成されるため、溶存する水へは、酸素分子も溶存することから、水素分子の純度が低くなる問題があった。【０００５】  密閉容器内で発生させれば、水へ溶存しなかった酸素分子と水素分子の気体が混合し、圧力の上昇と共に、爆発・燃焼領域の水素分子濃度が４〜７５％の範囲になることから、危険である。【０００６】  電気分解では、電解電流による水抵抗ジュール熱が発生し、水素水の温度が上昇するため、被含浸物の温度管理が難しいという問題がある。【０００７】  開放状態で使用した場合、大気圧であることから被含浸物へ水素水から水素分子が含浸するまでの時間が掛かり、実用化が難しいという問題がある。【０００８】  水素分子発生量と、水素分子が大気中へ放散する量とが平衡した時に、水への水素分子含浸量が決定されるため、開放状態で使用した場合には大量の水素分子の含浸ができない。【０００９】  従って、電気分解を連続で行い、発生させる水素分子を常に高濃度に確保し、
水素水の水素分子の溶存濃度を一定に保たなければならないという問題がある。【００１０】  密閉容器内で水素化マグネシウムなどの水素発生剤を使用する場合、基本的に酸素分子を含んだ空気中で水素分子を発生させるため、水素分子の濃度が爆発・燃焼領域４〜７５％に入り、危険であるという問題がある。【００１１】  本方式は、気体に含まれる水分、又は水中での化学反応により水素分子を発生させる原理から、水素分子発生量にムラがあり、一定量の水素分子の確保ができないという問題がある。【００１２】  電気分解方式と同様に水素分子発生量が少ない場合は、被含浸物へ水素分子が含浸するまでの時間が長く掛かる。【００１３】  空気以外の不活性ガスを使用する場合、最初に空気を完全排除するために真空引き等の前処理が必要で、被含浸物の種類又は性状によっては、負圧によって細胞破壊を起こす問題がある。【００１４】  従来のような、電気分解法や化学的発生法を使用した場合、含浸製造方法は、水素分子の含浸量が少なく、被含浸物温度の維持、および含浸までの時間が長くなり、実用化に問題があった。【００１５】  この発明は、被含浸物を入れた密閉容器に、外部から高純度のドライガス水素を、高圧力で封入することで、水素分子の含浸量を多く、被含浸物温度の管理が可能で、含浸までの時間が短くなる、水素含浸製造装置を提供することを目的とする。
【課題を解決するための手段】
【００１６】  水素分子を含浸する水素含浸製造装置であって、該水素含浸製造装置は密閉容器１と孔質フィルター４を備え、該密閉容器１は、水素ガス供給バルブ２と水排出用バルブ５と、内部圧力を計測する圧力計６と、水素入管口３が構成され、該水排出用バルブ５の可変位置により、水素分子気体層領域と、水素分子が溶存する水素水液体層領域とを備えた二種類の含浸手段を同時に提供することを特徴とする。
【発明の効果】
【００１７】  水素分子を含浸させるための水素含浸製造装置であって、高濃度のドライガス水素を圧力を掛けて被含浸物９へ接触させることにより、含浸時間短縮、
高濃度量の確保および幅広い温度領域での使用を可能としたことを特徴とする水素含浸製造装置。
【実施例】
【００１８】  本発明に係る水素含浸製造装置図１は、該容器１へ付加した水素ガス供給バルブ２と被含浸物９とからなる。【００１９】  また、本発明に係る水素含浸製造装置の、水素ガス供給用バルブ２は水素ガスボンベ８からドライガス水素を供給するバルブである。【００２０】  また、本発明に係る水素含浸装置の該容器１は、被含浸物９を入れた後、ドライガス水素を含浸させるための水１０を上面満水まで注ぎ込むことができる構造である。【００２１】  また本発明に係る水素含浸装置は、該容器１の底部にある水素入管口３には、孔質フィルター４を設け、水素ガスボンベ８からの圧力により孔質フィルター４を通したドライガス水素を注入することで、微細な泡に変えて該容器１内へ注入する構造である。
以下に被含浸物９への水素含浸量（比率）試験値を記述する。
▲１▼  水素水液体層へ浸漬した場合の水素含浸量、圧力−時間特性
2018038993.tif 000003
▲２▼  水素気体層領域へ浸漬した場合の水素含浸量、圧力−時間特性
2018038993.tif 000004
被含浸物９：生理食塩水輸液ボトル（１，０００ＣＣ）  容器材質：０．３５ｍｍのポリプロピレン製（ＰＰ）
▲３▼  電気分解法による場合
2018038993.tif 000005
【図面の簡単な説明】
【００１６】
【図１】この発明の実施の形態に掛かる水素含浸製造装置を示す構成図である。
【図１】
2018038993.tif 000006
(57)【要約】      （修正有）【課題】ＤＮＡに酸素原子がつくことが老化であることを明らかにすること。【解決手段】酸化されたＤＮＡに、電子銃からでる電子（エネルギー）を与えること。具体的には、ねずみに電子銃を直接向けて電子を与え、ねずみの寿命が延びれば、ＤＮＡは生命維持に必要なタンパク質を作ることから、ねずみのＤＮＡに酸素原子がつくことが老化現象であることが明らかになる。【選択図】なし【特許請求の範囲】
【請求項１】
老化現象はＤＮＡに酸素原子がつくことかどうかを明らかにする方法。
詳細は水の電気分解は水に電子を与えると水の酸素原子が水の水素原子から離れる。同様にＤＮＡに電子を与えるとＤＮＡにくっついた酸素原子がＤＮＡから離れる。水の電気分解の様な、水に電子を与えると酸素が離れるという様な自然の法則を利用して、ねずみに電子銃を直接向けて電子を与え、ねずみの寿命が延びれば、ＤＮＡは生命維持に必要なタンパク質を作ることから、ねずみのＤＮＡに酸素原子がつくことが老化現象であることが明らかになる。
【発明の詳細な説明】
【技術分野】
【０００１】  ＤＮＡは生命維持に必要なタンパク質つくることからＤＮＡに酸素原子がつくことが老化であると仮定し電子銃によりＤＮＡに電子を与えるとＤＮＡについた酸素原子は電子を受け取って酸素分子となりＤＮＡから酸素原子が離れそして生物の老化はＤＮＡに酸素原子がつくことであると明らかにすることができる。
【背景技術】
【０００２】  現在まで生物の老化をくいとめる技術はない。
【発明の概要】
【発明が解決しようとする課題】
【０００３】  生物の老化をくいとめることである。
【課題を解決するための手段】
【０００４】  ＤＮＡに電子銃によって電子を与えることである。
【発明の効果】
【０００５】  不老長寿が実現することができることである。
【発明を実施するための最良の形態】
【０００６】  不老長寿が実現すると宇宙の端に行くことができる可能性がでてくる。
【産業上の利用可能性】
【０００７】  電子銃を多くつくって売ることができる。
(57)【要約】【課題】  フリーズドライ食品に特有の色味、風味および歯ざわりを活かし、かつ、自然塩と同時に食材に振りかけることができ、味わいも一体となるという両者両立を達成することによって、今までにない食塩調味料を製造する。【解決手段】  フリーズドライの食品に、自然塩を水に溶かしたものを噴霧して自然塩を結着させ、または、水を噴霧して自然塩を振り掛けて自然塩を結着させ、もしくは、これらを併用して自然塩を結着させ、その後乾燥させることによって、フリーズドライの食品に自然塩を被覆させる方法による。【選択図】図１
2018038379.tif 000002
【特許請求の範囲】
【請求項１】
フリーズドライの施された果物、野菜その他の食品を、湖塩、岩塩その他の自然塩で被覆したことを特徴とする食塩調味料。
【発明の詳細な説明】
【技術分野】
【０００１】  本発明は、フリーズドライの食品を自然塩でコーティングした調味料に関するものである。
【背景技術】
【０００２】  一般的なフリーズドライの食品は、そのままあるいは湯で戻して食用に供するのが普通である。
【発明の開示】
【発明が解決しようとする課題】
【０００３】  フリーズドライの食品と自然塩とを同時に使用することで、新しい調味料にできないか、という発案である。しかしながら、それぞれを単独で使用し、あるいは粉砕して混合するという使用法にあっては、それぞれに一長一短があった。単体であれば自然塩と同時に食材に振りかけることは難しく、また、フリーズドライの食品と自然塩とが独立した味わいとなってしまう一方で、粉砕して自然塩と混合すればフリーズドライ食品特有の色味、風味および歯ざわりが失われてしまうという点で、それぞれの長所を両立することは難しかった。
【課題を解決するための手段】
【０００４】  上記目的を達するため、本発明は、フリーズドライの食品を自然塩で被覆させることによって、解決しようとするものである。
【発明の効果】
【０００５】  フリーズドライの色味、風味および歯ざわりを損なわずに、自然塩と同時に食材に振りかけることができると同時に、味わいも一体となるという両者両立の効果を得られる。
【発明を実施するための最良の形態】
【０００６】  フリーズドライの食品に自然塩を水に溶かしたものを噴きつけ、自然塩を付着させ、乾燥させる方法による。
【実施例】
【０００７】  自然塩を水に溶かした溶液を、霧吹きでフリーズドライの食品に噴きつける。自然塩を細かく粉砕したものを結着させることで塩味を調整する。その後、乾燥機で乾燥させる。
【図面の簡単な説明】
【０００８】
【図１】本発明による調味料の作業工程の一例を示す工程図である。
【符号の説明】
【００１０】１  調合工程
２  噴霧・結着工程
３  乾燥工程
【図１】
2018038379.tif 000003
(57)【要約】      （修正有）【課題】磁極ローターに取り付けた磁石が固定子ヨークを通過する際にかかる磁気の反発と吸着によるブレーキを減少させ省エネで効率よく発電を行えるようにする発電機の提供。【解決手段】Ｕ型の固定子ヨーク６に同じ巻き方向のコイル９ａ，９ｂを２個１組として巻く。前記の固定子ヨーク６を複数配置する。単極磁石５を取り付けた磁極ローター４が、固定子ヨーク６の先端２ヶ所を通過するように配置する。固定子ヨーク６をＵ型にすることにより固定子ヨーク６の同磁極同士が反発する。これにより磁極ローター４に取り付けた磁石５と固定子ヨーク６の磁気の吸着と離脱が減少し、磁極ローター４回転時のブレーキが減少する。【選択図】図１
2018038226.tif 000002
【特許請求の範囲】
【請求項１】
複数の単極の磁石を取り付けた磁極ローターとＵ型の固定子鉄心の両方にコイルを2ヶ所巻いた固定子ヨークを複数備えた発電機。
【発明の詳細な説明】
【技術分野】
【０００１】
本発明は、高効率の省エネ型発電機に関するものである。
【背景技術】
【０００２】
現在の一般的な発電機は固定子ヨーク1個に対して1個のコイルを巻いている。
磁極ローターに磁石を取り付け回転させることにより発電をしている。
発電電力使用時、電磁誘導作用により磁極ローターに装着した磁石と固定子ヨークには
磁力の吸着と離脱が発生し、磁極ローターの回転にブレーキがかかる。  
【発明の概要】
【発明が解決しようとする課題】
【０００３】
現在の発電機は使用電力に対して発電効率の悪いものとなっている。
発電電圧を電力として消費する時に電力消費量に比例して発電機の磁極ローターの回転にブレーキがかかる。
磁極ローターに取り付けた磁石が固定子ヨークを通過する際にかかる磁気の反発と吸着によるブレーキを減少させ
省エネで効率よく発電を行えるようにする発電機を提供する。
【課題を解決するための手段】
【０００４】
Ｕ型の固定子鉄心に同じ巻き方向のコイルを2個１組として巻いた
固定子ヨークを複数配置する。単極磁石を複数取り付けた磁極ローターが、
固定子ヨークU型先端2ヶ所を通過するようにした。
これにより発電電力使用時にU型固定子ヨークの同磁極同士が反発するようにする。
【発明の効果】
【０００５】
本発明によれば発電機に於いて、発電電力使用時、磁極ローターが回転する際の
回転ブレーキが減少し、効率よく発電出来るようになる。  
【図面の簡単な説明】
【０００６】
【図１】本発明の実形態における発電部の断面図である。
【図２】コイル部、電磁鋼板に磁石を取り付けた立体図である。
【図３】固定子ヨークにコイルを巻きつけた図である。
【図４】磁極ローターの磁石が固定子ヨークを通過する配置図である。
【発明を実施するための形態】
【０００７】
以下、本発明の実施形態に係る発電装置について説明する。
磁石5を磁極ロータ4に複数リング状に組み付け、ベアリング3を装着して回転軸2に組み付ける。
ヨーク固定フレーム7に固定子ヨーク6を取り付ける。
固定子ヨーク6はＵ型形状でありＵ型の2ヶ所にコイル9a,コイル9bを巻つける。
固定子ヨーク6のＵ型の上部2ヶ所を磁極ロータ4に取り付けた磁石5が通過すようにする。
【符号の説明】
【０００８】
１  プーリー  
２  回転軸
３  ベアリング
４  磁極ロータ
５  磁石
６  ヨーク  
７  ヨーク固定フレーム  
８  エンドフレーム
９a コイルa
９b コイルb
【図１】
2018038226.tif 000003
【図２】
2018038226.tif 000004
【図３】
2018038226.tif 000005
【図４】
2018038226.tif 000006
(57)【要約】【課題】本考案はリュックサックの背面に空の円筒を取り付けて背面と背中を隔離して、間隔内に空気を流通させ、汗と蒸れを減少させると共に空の円筒に浮袋の働きをさせる。【解決手段】本考案はリュックサックＡの背面Ｂに、伸縮性のある網状の布Ｄに容器Ｅを収納出来るよう上辺Ｄ１、下辺Ｄ２、縫い線Ｄ３、Ｄ４、Ｄ５を平行に縫い付けて、両端の容器出入口Ｅ１から容器Ｅを出入りさせ、容器Ｅを複数収納してリュックサックＡを浮袋にする。【選択図】図２
2018038770.tif 000002
【特許請求の範囲】
【請求項１】
リュックサックを背負った場合、リュックサックの背面と背中の密着を防ぐため、リュックサックの背面に伸縮性の網状布を、容器を収容する目的で縫い付け、容器を収容してリュックサックの背面と背中に間隔を作ることを特徴とするリュックサック。
【請求項２】
網状布の縫い付けはリュックサックの背面に、網状布の上下を平行に縫い付け、上下間に容器を両側から挿入出来る間隔で平行に複数縫い付け、容器を複数収納出来ることを特徴とするリュックサック。
【請求項３】
上項で複数の容器を平行に挿入することにより、容器によってリュックサックの背面と背中に間隔が生じ、風通しが発生し背中の汗の出、蒸れを減少させることを特徴とするリュックサック。
【請求項４】
挿入する容器で空の容器を複数挿入してリュックサックを浮袋の代用に出来る事を特徴とするリュックサック。
【発明の詳細な説明】
【技術分野】
【０００１】  本発明はリュックサックの背面に容器を装着し、背中の発汗と蒸れを減少させると共に水難事故対策を兼ねる事に関することである。
【背景技術】
【０００２】  川を渡りながら、大雨で川の様子を見に行きながら、釣り中高波にさらわれる等の水難事故報道は絶えた事が無い。【０００３】  若人等旅に携帯する必要品はリュックサックであるが、水難事故に遭遇した人がリュックサックを救命具として使用した話題はあまり聞いたことが無い。【０００４】  リュックサックを背負った場合、リュックサックの背面と背中が密着し、背中の発汗と蒸れが多くなることは当然考えられている。【０００５】  水に浮くのを重視した救命服は容積があり、上半身に密着するので通常身に付けて行動する事は少ない。
【発明の開示】
【発明が解決しようとする課題】
【０００６】  リュックサックを背負った場合、リュックサック背面と背中間の発汗と蒸れを減少させる。【０００７】  リュックサックの背面と背中の間隔を空けるため空気の入った容器を装着し、リュックサックを浮袋にして自分又は周囲の人の万一の水難事故対策とする。
【課題を解決するための手段】
【０００８】  本発明はリュックサック背面と背中の密着による発汗、蒸れは当然と考えられていたものを少なくてするため、重さがゼロに近い容器で背面と背中の間隔を空けることを特徴としている。【０００９】  リュックサック背面に容器を装着するため、背面の形とほぼ同型の伸縮性のある網状布の上下を背面の上下に平行に縫い付け、上下間に容器を両側から挿入出来る間隔で平行に複数縫い付け、容器を複数収納出来る事を特徴としている。【００１０】  上記で挿入する容器は市販されている飲料水用の通称ペットボトル呼ばれ、飲用後、廃棄されるものを利用し、使用するものは円筒形の容器が望ましい【００１１】  円筒形の容器は無重量に近く、円形のため背中に接する面積は四角形容器に較べ半分以下で空気の流通が多くなり、発汗を少なくし蒸発を促進する。【００１２】  円筒形の容器を装着した一般用のリュックサックは浮袋として使用出来、咄嗟の場合、救命具として活用出来ることを特徴としている。【００１３】  リュックサックは水難事故発生に関係なく、常時容器を装着出来るようにしておけば、新聞の水難事故記事が少なくなる。
【発明の効果】
【００１４】  リュックサックの背面に容器を装着する事により、背面と背中との密着が無くなり、空気が流通する事により汗の出が少なくなり、蒸発が促進され不快感が少なくなる。【００１５】  リュックサックに空の容器を装着すると浮く機能を持つ事により、旅行先での水難事故対策として使用出来る。【００１６】  リュックサック販売店、釣具店でお客様に容器を装着したリュックサックで川に流された人や高波にさらわれた釣り人の様子を放映する事により、容器を装着したリュックサックが命を救う事を実証されればリュックサックの新役割と販売に役立つ。【００１７】  浮くリュックサックのヒントから水が嫌い、水に入ると体が沈むと信じている人に、水着等の背に空の容器をつけて水に入ると、必ず体が浮くのを利用して空の容器が不必要になる迄、徐々に水に慣らす方法が考えられる。
【図面の簡単な説明】
【００１８】
【図１】リュックサック背面に網状布を縫い付けた正面図
【図２】リュックサックの背面と網状布間に容器を挿入した側面図
【発明を実施するための形態】
【００１９】  本発明はリュックサックを背負った場合、リュックサックの背面と背中とを隔離、その間に容器を挿入して空気を流通させ、汗と蒸れを少なくする装着を背面に設置する。
【００２０】  以下、添付図面に従って説明する。
図１は肩ベルトＣの付いたリュックサックＡの背面Ｂに伸縮性のある網状布Ｄの上辺Ｄ１と下辺Ｄ２を縫い付け、容器Ｅが上辺Ｄ１と下辺Ｄ２間に挿入出来る間隔で縫い線Ｄ３、Ｄ４、Ｄ５を縫い付ける。
【００２１】  図１でリュックサックＡは高さに長短があるので長い場合は縫い線の追加、短い場合は縫い線を少なくする。
【００２２】  図１で容器Ｅを挿入する容器出入り口Ｅ１は両端から出入り出来るようにする。
【００２３】  図２は容器Ｅを挿入した図で側面Ｂと背面Ｆが隔離した状態を示した図である。
【００２４】  図２で容器Ｅを円筒にすると空気の流通が増し、蒸れが少なくなる。
【００２５】  図２で容器Ｅを２本又は２本以上、容積も出来るだけ大が望ましい。
【００２６】  図２で空の容器Ｅ２本又は２本以上あるとリュックサックＡを浮袋にする働きが発生する。
【符号の説明】
【００２７】  Ａ    リュックサック
Ｂ    リュックサック背面
Ｃ    肩ベルト
Ｄ    網状布
Ｄ１  網状布上辺
Ｄ２  網状布下辺
Ｄ３  Ｄ４  Ｄ５  縫い線
Ｅ    容器
Ｅ１  容器出入口
Ｆ    背中
【図１】
2018038770.tif 000003
【図２】
2018038770.tif 000004